(57)【特許請求の範囲】
【請求項１】
配線・配管材が載置される底部と該底部に立設された側部とを備え、配線・配管材の布設路の形成方向に直交して配設された金属線材及び平行して配設された金属線材によって網状に形成された受具と、
前記直交して配設された金属線材に回転可能に取付けられて前記受具上の配線・配管材と摺接するローラ本体と、前記ローラ本体を前記直交して配設された金属線材を軸に回転可能とすべく、該ローラ本体を該直交して配設された金属線材に外嵌して取り付けるための取付部とを有するローラ部材とを具備し、
前記ローラ部材は、配線・配管材の布設路の形成方向に平行して配設された二本の金属線材間に一個又は複数取り付けられ、
前記二本の金属線材間に取付けられた一個のローラ部材の長さ又は複数のローラ部材の全長は、前記二本の金属線材間の間隔と略同一の長さに形成されていることを特徴とする配線・配管材受具装置。
【請求項２】
前記ローラ部材は、受具の底部及び側部に配設された金属線材に取り付けられてなることを特徴とする請求項１記載の配線・配管材受具装置。
【請求項３】
前記ローラ部材は、受具底部の巾方向に複数個取り付けられてなる請求項１又は請求項２に記載の配線・配管材受具装置。
【請求項４】
配線・配管材が載置される底部と該底部に立設された側部とを備え、配線・配管材の布設路の形成方向と直交して配設された金属線材及び平行して配設された金属線材によって網状に形成された受具に取り付けられるローラ部材であって、
前記直交して配設された金属線材に回転可能に取り付けられて前記受具上の配線・配管材と摺接するローラ本体と、
前記ローラ本体を前記直交して配設された金属線材を軸に回転可能とすべく、該ローラ本体を該直交して配設された金属線材に外嵌して取り付けるための取付部とを具備し、
前記ローラ本体は、配線・配管材の布設路の形成方向に平行して配設された二本の金属線材間に一個又は複数取り付けられ、
前記二本の金属線材間に取付けられた一個のローラ本体の長さ又は複数のローラ本体の全長は、前記二本の金属線材間の間隔と略同一の長さに形成されていることを特徴とする配線・配管材受具用のローラ部材。
【発明の詳細な説明】
【０００１】
【発明の属する技術分野】
本発明は、金属線材を溶接等によって網状に形成された受具に取付けられて前記受具の布設路に引き込まれ、または、引き出されるケーブル等の配線・配管材の引込力、引出力を軽減する配線・配管材受具用のローラ部材及び配線・配管材受具装置に関するものである。
【０００２】
【従来の技術】
従来より、配線・配管材用の受具として、親桁と子桁とからなるラダータイプのものや、金属線材によって網状に形成されたメッシュタイプのものがあり、例えば、特開平４−３４７５１４号公報にはメッシュタイプのものが掲載されている。
図１８は従来のメッシュタイプの受具を示し、受具２は金属線材３を使用して縦、横の網状に形成されて、底部４と側部５とが構築されている。
【０００３】
また、従来より、受具上に配線・配管材を引き込む際の引込力を軽減するため、該受具に引込ローラを取付けた配線・配管材受具装置があり、例えば、特許文献１、特許文献２にその技術が開示されている。
【０００４】
図１９は特許文献１に示された受具を示し、図において、受具２は左右一対の親桁４１の間に子桁４２とローラ軸４３とが架設され、前記ローラ軸４３に複数の円盤状のローラ４４が取付けられている。そして、これらの子桁４２及びローラ４４にはケーブルＣが載置されるようになっている。
【０００５】
また、図２０は特許文献２に示された受具を示し、図において、受具２は左右一対の親桁５１の間に子桁５２が架設されるとともに、下方からサポートベース５３が架設されている。そして、前記サポートベース５３の一端に、前記親桁５１の上端縁に係脱するフック桿５４を備えた係合金具５５が取付けられており、他端に、ハンドル５６を介して他側の親桁５１の上端縁に係脱するクランプ部５７が取付けられている。更に、前記サポートベース５３には水平方向及び上下方向のローラ軸５９が取付けられたローラ台座５８が設けられ、水平方向のローラ軸５９には複数の円盤状のローラ６０が、上下方向のローラ軸５９には複数の円盤状の縦ガイドローラ６１が取付けられている。そして、前記ローラ６０にはケーブルＣが載置されるようになっている。
【０００６】
【特許文献１】
実開昭６２−１７２２１０号公報
【特許文献２】
実公平４−７６１４号公報
【０００７】
【発明が解決しようとする課題】
しかし、前記引込ローラ装置は前記ラダータイプの受具に取付けられるものであり、従来、メッシュタイプの受具に取付けられるものはなかった。これは、ラダータイプのものは押出成形や折曲成形により、親桁や子桁を、前記引込ローラ装置を取付可能な種々の構成に作製でき、該ローラをビス等で確実に取付け得るのに対し、メッシュタイプは複数の線条材のみで作製されるため、前記ローラをビス等を用いて該線条材に強固に螺着するのが困難だからである。
【０００８】
また、ラダータイプに使用される従来の引込ローラ装置は、複数のローラ部材をローラ軸に一体に組付けたもので構成が複雑であった。そして、実公平４−７６１４号公報に掲載の受具２にあっては、クランプ部５７を親桁５１の上端縁に係脱させるものは受具２への取付け、取外しが面倒であるとともに、全体重量が大きいため、ローラ軸５９の支持強度を大きくしなければならなかった。
【０００９】
そこで、本発明は、極めて簡易な構成で、メッシュタイプの受具を形成する金属線材に簡単に取付けできて、前記受具に配線・配管材を布設する際の力を軽減できる上に、がたつくことなく安定して配線・配管材を保持できるようにした配線・配管材受具用のローラ部材及び配線・配管材受具装置の提供を課題とするものである。
【００１０】
【課題を解決するための手段】
請求項１に記載の配線・配管材受具装置は、配線・配管材が載置される底部と該底部に立設された側部とを備え、配線・配管材の布設路の形成方向に直交して配設された金属線材及び平行して配設された金属線材によって網状に形成された受具と、
前記直交して配設された金属線材に回転可能に取付けられて前記受具上の配線・配管材と摺接するローラ本体と、前記ローラ本体を前記直交して配設された金属線材を軸に回転可能とすべく、該ローラ本体を該直交して配設された金属線材に外嵌して取り付けるための取付部とを有するローラ部材とを具備し、
前記ローラ部材は、配線・配管材の布設路の形成方向に平行して配設された二本の金属線材間に一個又は複数取り付けられ、
前記二本の金属線材間に取付けられた一個のローラ部材の長さ又は複数のローラ部材の全長は、前記二本の金属線材間の間隔と略同一の長さに形成されていることを特徴とするものである。
【００１１】
請求項２に記載の発明は、請求項１に記載の配線・配管材受具装置において、ローラ部材は、受具の底部及び側部に配設された金属線材に取付けられてなることを特徴とするものである。
【００１２】
請求項３に記載の発明は、請求項１又は請求項２に記載の配線・配管材受具装置において、ローラ部材は、受具底部の巾方向に複数個取り付けられてなることを特徴とするものである。
【００１３】
請求項４に記載の配線・配管材受具用のローラ部材は、配線・配管材が載置される底部と該底部に立設された側部とを備え、配線・配管材の布設路の形成方向と直交して配設された金属線材及び平行して配設された金属線材によって網状に形成された受具に取付けられるローラ部材であって、
前記直交して配設された金属線材に回転可能に取付けられて前記受具上の配線・配管材と摺接するローラ本体と、
前記ローラ本体を前記直交して配設された金属線材を軸に回転可能とすべく、該ローラ本体を該直交して配設された金属線材に外嵌して取付けるための取付部とを具備し、
前記ローラ本体は、配線・配管材の布設路の形成方向に平行して配設された二本の金属線材間に一個又は複数取り付けられ、
前記二本の金属線材間に取付けられた一個のローラ本体の長さ又は複数のローラ本体の全長は、前記二本の金属線材間の間隔と略同一の長さに形成されていることを特徴とするものである。
【００１４】
【発明の実施の形態】
以下、本発明の実施例を図に基づいて説明する。
図１において、受具装置１は受具２の所定位置にローラ部材１１が取付けられたものである。前記受具２は、底部４とその両側に立設された側部５とで構成されている。前記受具２の内部には布設路６が形成され、布設路６に配線・配管材であるケーブルＣが収納されるようになっている。前記受具２は、前記布設路６の形成方向と直交して配設された金属線材３ａ及び平行して配設された金属線材３ｂによって網状に形成されている。ここで、前記金属線材３ａはケーブルＣが載置される載置部７ともなっている。また、前記金属線材３ａが側部５において上下方向に延設された部分は立上部８を形成している。そして、この金属線材３ａの側部上端９には布設方向に沿って別の金属線材３ｃが架設されている。前記金属線材３ａは、所定間隔をおいて布設路６の形成方向に複数配設され、適宜位置にローラ部材１１が取付けられている。
【００１５】
図１に示すように、ローラ部材１１は布設路の形成方向と平行して配設された金属線材３ｂ相互間に１個ずつ取付けられ、又は、図２に示すように、２個又はそれ以上の個数取付けるようにしてもよい。図１に示すように、前記布設路６の形成方向と平行して配設された金属線材３間に一個のローラ部材１１を取付ける場合、当該金属線材３の間隔Ｌ２と、一個のローラ部材１１の長さＬ１とが略同一に形成されることにより、ローラ部材１１が受具２の巾方向に移動してがたつくことがなく、安定して金属線材３を保持する。
【００１６】
又、図２に示すように、２個又はそれ以上の個数のローラ部材１１を、布設路６に並行して設けられた金属線材３ｂ,３ｂ間に取付ける場合には、当該金属線材３ｂ,３ｂ間の間隔を、２個又はそれ以上の個数のローラ部材１１の全長と略同一に形成することにより、２個又はそれ以上の個数のローラ部材１１が受具２の巾方向に移動してがたつくことがなく、安定して金属線材３を保持することができる。これらの寸法関係は後述の図１１等に示すローラ部材についても同様である。
【００１７】
前記ローラ部材１１はローラ本体１２に取付部１３が設けられたものであり、図３に示すように、中央で第１分割体１４と第２分割体１５とに分割され、それぞれに前記金属線材３ａに外嵌される軸凹部１４ａ及び軸凹部１５ａが形成されている。前記第１分割体１４の両端面には係合凸部１４ｂと係合孔１４ｄの形成された突片１４ｃとが設けられ、第２分割体１５の両側面には同様にして係合凸部１５ｂと係合孔１５ｄの形成された突片１５ｃとが設けられている。そして、これらの係合凸部１４ｂと係合孔１５ｄ、係合凸部１５ｂと係合孔１４ｄとはそれぞれ係合するようになっている。前記第１分割体１４の外周壁１４ｅ及び第２分割体１５の外周壁１５ｅはケーブルＣと摺接する部分となっている。ここで、前記第１分割体１４及び第２分割体１５はこれら一対でローラ本体１２を構成し、軸凹部１４ａ、係合凸部１４ｂ、係合孔１４ｄ、及び、軸凹部１５ａ、係合凸部１５ｂ、係合孔１５ｄは取付部１３を構成している。
【００１８】
なお、ローラ部材１１は、図４に示すように、第１分割体１６及び第２分割体１７に分割し、各第１分割体１６及び第２分割体１７の各両側面に、係合突片１６ａ、係合突片１７ａを設けるとともに、これらの係合突片１６ａ、係合突片１７ａとそれぞれ係合する係合凹部１６ｂ、係合凹部１７ｂを形成した構造とし、第１分割体１６と第２分割体１７とを係脱自在に一体化するものとしてもよい。
【００１９】
また、ローラ部材１１は、図５に示すように、第１分割体１８及び第２分割体１９に分割し、各第１分割体１８及び第２分割体１９の各両側面にボルト挿通孔１８ａを有する突片１８ｂ、ボルト挿通孔１９ａを有する突片１９ｂ、及び、ナット１８ｃが埋設された凹部１８ｄ、ナット１９ｃが埋設された凹部１９ｄが形成された構造とし、第１分割体１８と第２分割体１９とを係脱自在に一体化するものとしてもよい。
【００２０】
更に、金属線材３ａに取付けるローラは上述のように２分割したローラ部材１１に限らず、図６乃至図８に示すように、中心部に至る切欠２３を設けた２個の円柱状のローラ本体２２を重合したローラ部材２１とすることもできる。ここで、各ローラ本体２２の同一円周上にボルト２４が挿通される貫通孔２５が設けられており、これらの貫通孔２５は切欠２３を基準として異なる位相に穿設されている。ここで、切欠２３は請求項の取付部に相当するものである。
【００２１】
このローラ部材２１を金属線材３ａに取付けるには、図６及び図７に示すように、切欠２３の位置を一致させた状態で２個のローラ本体２２を一体に金属線材３ａに側方から外嵌し、次いで、図８に示すように、一方のローラ本体２２を貫通孔２５同士が貫通する位置まで回動させた後、ボルト２４を貫通させてねじ止めする。これにより、ローラ部材２１は金属線材３からの抜外れが防止される。なお、ボルト２４は一方のローラ本体２２の貫通孔２５にナットを埋設して取付けるようにしてもよい。
【００２２】
また、図９及び図１０に示すように、１個のローラ本体２６に中央部に至る切欠２７を形成し、この切欠２７から金属線材３ａに外嵌した後、保持部材２８を嵌め込むローラ部材２１としてもよい。ここで、前記切欠２７及び保持部材２８にはそれぞれ互いに保持し合う係止凹部２７ａ及び係止突起２８ａが形成されており、金属線材３ａからの抜外れが防止している。なお、切欠２７に対する保持部材２８の保持手段は係止凹部２７ａ及び係止突起２８ａに限らず、他の手段を用いてもよい。ここで、切欠２７及び保持部材２８は請求項の取付部に相当するものである。
【００２３】
このように形成された前記各ローラ部材は、各一対の第１分割体及び第２分割体を金属線材３ａの外周側から、即ち、前記金属線材３ａの軸方向と直交する方向から前記金属線材３ａに外嵌し、或いは、ローラ本体２２の切欠２３やローラ本体２６の切欠２７を金属線材３ａの外周側から、即ち、前記金属線材３ａの軸方向と直交する方向から金属線材３ａに外嵌すればよく、簡単に受具２の金属線材３ａに取付けることができる。
【００２４】
次に、上記のように構成された本実施例の作用を説明する。受具２の布設路６の形成方向と直交して配設された金属線材３ａにはローラ部材１１またはローラ部材２１が取付けられているので、各ローラの外周壁にケーブルＣが載置されてその引込力が軽減される。
特に、本実施例ではローラを２分割とし、或いは、切欠を形成した簡易な構成で、金属線材３を溶接して網状に形成された受具２に対して、後から簡単に金属線材３ａにローラ部材１１,２１を取り付けることができる。
【００２５】
前記各ローラ部材１１は、図１によって示すように、その長さＬ１を、このローラ部材１１が取付けられている金属線材３ａと直交して前記各ローラ部材１１の両端において接続された布設方向の２本の金属線材３ｂ,３ｂ間の間隔Ｌ２と略同一の長さＬ１に形成されているため、ローラ部材１１は、受具２の巾方向に移動してがたつくことがなく、安定して金属線材３ａを保持することができる。同様にして、図２に示すような複数のローラ部材１１を布設方向の２本の金属線材３ｂ,３ｂ間に取付けた場合には、複数のローラ部材１１の全長が前記２本の金属線材３ｂ、３ｂ間の間隔Ｌ２と略同一である。そして、これらの寸法関係は後述の図１１等に示すローラ部材についても同様である。
【００２６】
ところで、上記各実施例は、ローラ部材１１及びローラ部材２１は載置部７における金属線材３ａに取付けているが、図１１に示すように、受具２の側部５を形成する立上部８における金属線材３ａにも取付けてもよく、或いは、立上部８のみに取付けることもできる。この実施例の場合は、特に、図１２に示すように、立上部８の金属線材３ａにケーブルＣが強く当接して引込抵抗が大きくなる受具２の曲がり部において、立上部８の金属線材３ａにローラ部材１１またはローラ部材２１を取付けることにより、その引込抵抗を小さくすることができる。なお、図１１に示すような直線状の布設路６であっても、ケーブルＣが蛇行して立上部８の金属線材３ａと接触する場合に効果がある。
【００２７】
更に、ローラ部材は、図１３及び図１４に示すように、ローラ部材１１またはローラ部材２１をローラ本体３２とし、この両側面またはいずれか一方の側面に鍔部３３を一体に設けたローラ部材３１とすることもできる。このローラ部材３１もローラ部材１１及びローラ部材２１と同様に中央で２分割し、または切欠を形成して金属線材３に組付けできるものとなっている。
【００２８】
また、載置部７の金属線材３ａに取付けるローラ部材を、図１３に示すように、両側面に鍔部３３を設けたローラ部材３１とすることにより、各ローラ部材３１毎にケーブルＣを載置させることができるから、複数のケーブルＣを蛇行させることなく布設路６に沿って整列して引込むことができ、引込みが容易となる。
【００２９】
更に、図１４に示すように、ローラ本体３２の片側面のみに鍔部３３を取付けたローラ部材３１を載置部７の金属線材３ａに取付ければ、ローラ部材３１の鍔部３３によって、受具２の布設路６を引込路３４と収容路３５とに区画形成できる。
【００３０】
この場合に、ケーブルＣを布設路６に引込むには、まず、前記引込路３４にケーブルＣを引き込み、次に、前記引込路３４に引き込まれたケーブルＣを手または工具等を使用して収容路３５に載せ替えることができる。したがって、この実施例においては、引込路３４のローラ部材３１に小さい力でケーブルＣを引き込むことができるとともに、特に、収容路３５の巾方向の任意の位置に載せ替えることができるので、複数のケーブルＣを順次布設路６の巾方向の一側から整列して効率良く引き込むことができる。
【００３１】
更には、図１５に示すように、２つのローラ部材３６間を近接させるとともに、各ローラ部材３６に鍔部３７を設け、ケーブルＣとの摺接面を半円弧状の凹部３８に形成し、対向する一対のローラ部材３６の凹部３８内にケーブルＣを挿通し、収容するものとすることもできる。
【００３２】
この場合には、例えば、図１６に示すように、２つのローラ部材３６を受具２の側部５の金属線材３に取付ければ、ケーブルＣを布設路６の途中から側方に円滑に引き込みまたは引き出すことができるとともに、特に、ケーブルＣを２つのローラ部材３６内に保持して確実に摺接させることができる。
【００３３】
また、図１７に示すように、２つのローラ部材３６を受具２の底部４の金属線材３ａに取付ければ、ケーブルＣを布設路６の途中から下方に円滑に引き込みまたは引き出すことができるとともに、特に、ケーブルＣを２つのローラ部材３６内に保持して確実に摺接させることができる。
【００３４】
【発明の効果】
以上のように、本発明に係る配線・配管材受具装置は、配線・配管材の布設路の形成方向と直交して配設された金属線材及び平行して配設された金属線材によって網状に形成された受具と、前記直交して配設された金属線材に回転可能に取付けられて前記受具上の配線・配管材と摺接するローラ本体と、前記ローラ本体を前記直交して配設された金属線材に回転可能とすべく、該ローラ本体を該直交して配設された金属線材に外嵌して取付けるための取付部とを有するローラ部材とを具備しているため、金属線材を溶接して網状に形成された受具に簡易な構成で簡単にローラ部材を取付けることができ、もって、かかる受具に配線・配管材を布設するときの力を軽減できる。
【００３５】
又、前記ローラ部材は、前記布設路の形成方向に平行して配設された二本の金属線材間に一個又は複数取付けられ、前記二本の金属線材間に取付けられた一個のローラ部材の長さ又は複数のローラ部材の全長は、前記二本の金属線材間の間隔と略同一の長さに形成されたものであるため、ローラ部材は受具の巾方向に移動してがたつくことがなく、安定して金属線材を保持することができる。
【図面の簡単な説明】
【図１】  本発明の実施例の配線・配管材受具装置を示す斜視図である。
【図２】  図１の配線・配管材受具装置の変形例を示す要部斜視図である。
【図３】  図１のローラ部材を示す分解斜視図である。
【図４】  本発明の実施例における別のローラ部材を示す分解斜視図である。
【図５】  本発明の実施例における更に別のローラ部材を示す分解斜視図である。
【図６】  本発明の実施例における更に別のローラ部材を示す斜視図である。
【図７】  図６のローラ部材の縦断面図である。
【図８】  図６のローラ部材を受具の金属線材に取付けた後の状態を示す側面図である。
【図９】  本発明の実施例における更に別のローラ部材を示す側面図である。
【図１０】  図９の保持部材を示す斜視図である。
【図１１】  本発明の別の実施例の配線・配管材受具装置を示す斜視図である。
【図１２】  図１１の配線・配管材受具装置の変形例を示す平面図である。
【図１３】  本発明の更に別の実施例の配線・配管材受具装置を示す正面図である。
【図１４】  本発明の更に別の実施例の配線・配管材受具装置を示す正面図である。
【図１５】  本発明の更に別の実施例の配線・配管材受具用のローラ部材を示す断面図である。
【図１６】  本発明の更に別の実施例の配線・配管材受具装置を示す斜視図である。
【図１７】  本発明の更に別の実施例の配線・配管材受具装置を示す斜視図である。
【図１８】  従来のメッシュタイプの受具を示す斜視図である。
【図１９】  従来の配線・配管材受具装置を示す斜視図である。
【図２０】  従来の別の配線・配管材受具装置を示す正面図である。
【符号の説明】
１      受具装置
２      受具
３ａ、３ｂ、３ｃ      金属線材
４      底部
５      側部
６      布設路
７      載置部
８      立上部
９      側部上端
１１、２１、３１、３６  ローラ部材
１２、２２、２６、３２  ローラ本体
１３    取付部
１４、１６、１８  第１分割体
１５、１７、１９  第２分割体
１４ａ、１５ａ  軸凹部
１４ｂ、１５ｂ  係合凸部
１４ｃ、１５ｃ  突片
１４ｄ、１５ｄ  係合孔
１６ａ、１７ａ  係合突片
１６ｂ、１７ｂ  係合凹部
１８ａ、１９ａ  ボルト挿通孔
１８ｂ、１９ｂ  突片
１８ｃ、１９ｃ  ナット
１８ｄ、１９ｄ  凹部
２３、２７  切欠
２８    保持部材
３３、３７    鍔部
Ｃ      ケーブル
【図１】
0004174796.tif 000002
【図２】
0004174796.tif 000003
【図３】
0004174796.tif 000004
【図４】
0004174796.tif 000005
【図５】
0004174796.tif 000006
【図６】
0004174796.tif 000007
【図７】
0004174796.tif 000008
【図８】
0004174796.tif 000009
【図９】
0004174796.tif 000010
【図１０】
0004174796.tif 000011
【図１１】
0004174796.tif 000012
【図１２】
0004174796.tif 000013
【図１３】
0004174796.tif 000014
【図１４】
0004174796.tif 000015
【図１５】
0004174796.tif 000016
【図１６】
0004174796.tif 000017
【図１７】
0004174796.tif 000018
【図１８】
0004174796.tif 000019
【図１９】
0004174796.tif 000020
【図２０】
0004174796.tif 000021